(57)【要約】【課題】本発明は、橋梁の現場において設置が容易な橋梁点検装置の提供を目的とする。【解決手段】本発明に係る橋梁点検装置Ａは、垂直方向に立設された垂直ベース軸２０と、前記垂直ベース軸２０に対して水平方向に取り付けられ、一端側が水平方向から上方に回動可能な水平ベース軸３０と、前記水平ベース軸３０の上方に回動可能な側に取り付けられた撮影機能を有する点検手段４０と、前記垂直ベース軸２０に取り付けられ、前記点検手段４０により撮影された画像を表示するモニターとを備えたことを特徴とする。【選択図】        図７
2015221996.tif 000002
【特許請求の範囲】
【請求項１】
垂直方向に立設された垂直ベース軸と、
前記垂直ベース軸に対して水平方向に取り付けられ、一端側が水平方向から上方に回動可能な水平ベース軸と、
前記水平ベース軸の上方に回動可能な側に取り付けられた撮影機能を有する点検手段と、
前記垂直ベース軸に取り付けられ、前記点検手段により撮影された画像を表示するモニターとを備えた
ことを特徴とする橋梁点検装置。
【請求項２】
移動可能な台車と、
前記台車上に、前記水平ベース軸の点検手段を備えた側に片寄って着脱自在に取り付けられ、垂直方向に円形凹溝を有する筒状をなし、その側壁部にボルト穴が形成されたベース部と、
前記台車において、前記ベース部を取り付けた側の反対側に片寄って着脱自在に取り付けられた台車用バランスウエイトと、
前記ベース部の円形凹溝に嵌め込み可能な断面多角形状をなし、前記水平ベース軸の中間位置の下面に頂部を位置させて前記水平ベース軸を支持する垂直ベース軸と、
前記ベース部における側壁部のボルト穴にねじ込むことにより前記ベース部の円形凹溝に嵌め込まれた前記垂直ベース軸を固定する垂直ベース軸固定ボルトと、
前記水平ベース軸において、点検手段を備えた一端側の反対側である他端側に着脱自在に取り付けられた水平ベース軸用バランスウエイトと、
前記水平ベース軸の側面に取り付けられ、円弧状のガイド穴を有し、前記水平ベース軸が回動すると共に回転するガイド板と、
前記ガイド穴をスライドし、前記垂直ベース軸に螺合し、前記垂直ベース軸にねじ込むことにより前記ガイド板を固定すると共に前記水平ベース軸を前記垂直ベース軸に対して適宜の角度で固定する水平ベース軸固定ボルトとを備えた
ことを特徴とする請求項１に記載の橋梁点検装置。
【請求項３】
前記点検手段が、
前記水平ベース軸の上方に回動可能な一端側に、軸継手を介して、長さ方向を軸として回転可能でかつ適宜位置で固定可能であり、長さ方向にスライド可能でかつ適宜位置で固定可能に着脱自在に取り付けられ、それ自体が伸縮可能でかつ適宜位置で伸縮固定可能な垂直ロッドと、
前記垂直ロッドの上部に設けた垂直ロッド回転操作ハンドルと、
前記垂直ロッドの下端に、ロッド継手を介して、長さ方向を軸として回転可能でかつ適宜位置で固定可能であり、長さ方向にスライド可能でかつ適宜位置で固定可能に着脱自在に取り付けられ、それ自体が伸縮可能でかつ適宜位置で伸縮固定可能な水平ロッドと、
前記水平ロッドの一端側に取り付けられた撮影機と、
水平ロッドの他端側に取り付けられ、前記水平ロッドの水平を保持する水平ロッド用バランスウエイトとを備えた
ことを特徴とする請求項１に記載の橋梁点検装置。
【発明の詳細な説明】
【技術分野】
【０００１】
本発明は、橋梁の下面に配置されている配管等の状況を点検する点検装置に関し、特に橋上からは直接目視して点検することが困難な箇所をビデオカメラ等により撮影して点検する点検装置に関する。
【背景技術】
【０００２】
従来より、橋梁の下面を点検する装置として、下記特許文献１に記載の発明がなされている。当該特許文献１に記載の橋梁点検装置は、橋上を移動可能な台車に支持されて先端部が橋の側方外部にオーバーハングして張り出される基部アームと、前記基部アームの先端部に取り付けられ昇降可能かつ垂直軸線まわりに回動可能に垂直ロッドを保持するロッドホルダーと、前記垂直ロッドの下端部に中間部を固定されて水平方向に延在する水平アームと、前記水平アーム上の一方の側に取り付けられたカメラと、他方の側に取り付けられたバランスウエイトと、前記水平アームを昇降させる昇降装置と、前記カメラの撮影画像を表示する表示装置から構成されるものである。
【先行技術文献】
【特許文献】
【０００３】
【特許文献１】特開２０１０−２０９６６６号公報
【発明の概要】
【発明が解決しようとする課題】
【０００４】
しかしながら、上記特許文献１に記載の橋梁点検装置は、橋の側方外部にオーバーハングして張り出される基部アームを備えるものであるが、基部アームの先端部には垂直ロッドが取り付けられ、垂直ロッドの下端部にはカメラを取り付けた水平アームを備えているため、橋の欄干の高さが水平アームの先端部の高さより高い場合には、これらの器具を取り付けた状態で基部アームの先端部を橋の欄干を乗り越えて橋の側方外部に張り出させることはかなりの困難を伴うものであった。
【０００５】
そこで本発明者は、鋭意研究を重ね、橋梁の現場において設置が容易な橋梁点検装置を案出した。
【課題を解決するための手段】
【０００６】
本発明に係る第１の橋梁点検装置は、垂直方向に立設された垂直ベース軸と、前記垂直ベース軸に対して水平方向に取り付けられ、一端側が水平方向から上方に回動可能な水平ベース軸と、前記水平ベース軸の上方に回動可能な側に取り付けられた撮影機能を有する点検手段と、前記垂直ベース軸に取り付けられ、前記点検手段により撮影された画像を表示するモニターとを備えたことを特徴とする。
【０００７】
本発明に係る第２の橋梁点検装置は、上記第１の橋梁点検装置の構成に加え、移動可能な台車と、前記台車上に、前記水平ベース軸の点検手段を備えた側に片寄って着脱自在に取り付けられ、垂直方向に円形凹溝を有する筒状をなし、その側壁部にボルト穴が形成されたベース部と、前記台車において、前記ベース部を取り付けた側の反対側に片寄って着脱自在に取り付けられた台車用バランスウエイトと、前記ベース部の円形凹溝に嵌め込み可能な断面多角形状をなし、前記水平ベース軸の中間位置の下面に頂部を位置させて前記水平ベース軸を支持する垂直ベース軸と、前記ベース部における側壁部のボルト穴にねじ込むことにより前記ベース部の円形凹溝に嵌め込まれた前記垂直ベース軸を固定する垂直ベース軸固定ボルトと、前記水平ベース軸において、点検手段を備えた一端側の反対側である他端側に着脱自在に取り付けられた水平ベース軸用バランスウエイトと、前記水平ベース軸の側面に取り付けられ、円弧状のガイド穴を有し、前記水平ベース軸が回動すると共に回転するガイド板と、前記ガイド穴をスライドし、前記垂直ベース軸に螺合し、前記垂直ベース軸にねじ込むことにより前記ガイド板を固定すると共に前記水平ベース軸を前記垂直ベース軸に対して適宜の角度で固定する水平ベース軸固定ボルトとを備えたことを特徴とする。
【０００８】
本発明に係る第３の橋梁点検装置は、上記第１の橋梁点検装置の構成に加え、前記点検手段が、前記水平ベース軸の上方に回動可能な一端側に、軸継手を介して、長さ方向を軸として回転可能でかつ適宜位置で固定可能であり、長さ方向にスライド可能でかつ適宜位置で固定可能に着脱自在に取り付けられ、それ自体が伸縮可能でかつ適宜位置で伸縮固定可能な垂直ロッドと、前記垂直ロッドの上部に設けた垂直ロッド回転操作ハンドルと、前記垂直ロッドの下端に、ロッド継手を介して、長さ方向を軸として回転可能でかつ適宜位置で固定可能であり、長さ方向にスライド可能でかつ適宜位置で固定可能に着脱自在に取り付けられ、それ自体が伸縮可能でかつ適宜位置で伸縮固定可能な水平ロッドと、前記水平ロッドの一端側に取り付けられた撮影機と、水平ロッドの他端側に取り付けられ、前記水平ロッドの水平を保持する水平ロッド用バランスウエイトとを備えたことを特徴とする。
【発明の効果】
【０００９】
上記のように構成したことにより、本発明に係る橋梁点検装置は、橋梁の下面を容易にかつ迅速に点検でき、軽量かつコンパクトで、組立作業や欄干乗り越え等の設置作業が簡便で設置スペースが僅かでよく、しかも製作コストも安価である。
【図面の簡単な説明】
【００１０】
【図１】本発明の実施例に係る橋梁点検装置を示す正面図である。
【図２】本発明の実施例に係る橋梁点検装置を示す側面図である。
【図３】本発明の実施例に係る橋梁点検装置を示す平面図である。
【図４】台車に垂直ベース軸を取り付ける状態を示す斜視図である。
【図５】水平ベース軸に垂直ロッドを取り付ける状態を示す斜視図である。
【図６】垂直ロッドに水平ロッドを取り付ける状態を示す斜視図である。
【図７】本発明の実施例に係る橋梁点検装置を示す斜視図である。
【実施例１】
【００１１】
図１〜図３に示すＡは、本実施例の橋例点検装置を示し、橋梁点検装置Ａは、垂直ベース軸２０、該垂直ベース軸２０の頂部に設置された上方に回動可能な水平ベース軸３０、該水平ベース軸３０の上方に回動する側の一端に設置された撮影機能を有する点検手段４０、及び、該点検手段４０により得られる撮影画像を表示するモニター５０により構成される。なお、図において、Ｂは橋梁を示し、Ｃは橋梁の幅方向端部に設置された欄干を示す。
【００１２】
前記垂直ベース軸２０は台車１０に立設されており、当該台車１０は、図４に示すように、移動可能な手押し車よりなり、台車１０上にベース部１１がボルト１２により着脱自在に設置されている。すなわちボルト１２をねじ込むことによりベース部１１は台車１０に固定され、ボルト１２を緩めるとベース部１１は台車１０から取り外すことが可能となっている。当該ベース部１１は、前記水平ベース軸３０の点検手段４０を備えた側に片寄って設置されており、前記ベース部１１を取り付けた側の反対側に片寄って台車用バランスウエイト１３が載置されていて、垂直ベース軸２０に掛かる水平ベース軸３０及び点検手段４０の荷重と釣り合いがとれて転倒しないように構成されている。また、当該ベース部１１は、垂直方向に円形凹溝１１ａを有する筒状をなしており、その側壁部にボルト穴１１ｂが形成されていて、前記垂直ベース軸２０が嵌め込み可能となっており、垂直ベース軸固定ボルト１１ｃにより前記垂直ベース軸２０が着脱自在に取り付け可能に構成されている。
【００１３】
前記垂直ベース軸２０は、断面四角形状をなしていて、前記ベース部１１の円形凹溝１１ａに嵌め込み可能で、その一側面が前記垂直ベース軸固定ボルト１１ｃのねじ込みによる押圧力により固定できるようになっており、垂直ベース軸固定ボルト１１ｃのねじ込みを緩めれば、ベース部１１から垂直ベース軸２０を引き抜いて取り外すことが可能となっている。
【００１４】
また、前記垂直ベース軸２０には、載置台２１が適宜位置に着脱自在に取り付けられており、モニター５０が載置できるようになっている。
【００１５】
そして、垂直ベース軸２０の上端には、垂直ベース軸２０に対して水平方向に水平ベース軸３０が着脱自在に取り付けられており、その一端側が水平方向から上方に回動可能になっている。すなわち、前記水平ベース軸３０の中間位置の下面に前記垂直ベース軸２０の頂部を位置させて垂直ベース軸２０により水平ベース軸３０を支持し、前述のように水平ベース軸３０の一端に設置された点検手段４０の荷重と重量バランスがとれるように、他端側には水平ベース軸用バランスウエイト３１が着脱自在に嵌め込むことができるようになっている。そして、前記水平ベース軸３０の両側部には、ガイド板３２が取り付けられており、当該ガイド板３２には、円弧状のガイド穴３２ａが形成されており、当該ガイド穴３２ａを通じて水平ベース軸固定ボルト３２ｂを垂直ベース軸２０に対してねじ込むことにより、水平ベース軸３０は垂直ベース軸２０に固定されるようになっている。この水平ベース軸固定ボルト３２ｂを緩めれば、水平ベース軸固定ボルト３２ｂに対してガイド穴３２ａがスライド可能となってガイド板３２が回転可能となり、ガイド板３２が回転することにより、垂直ベース軸２０に対して水平ベース軸３０が回動可能となる。そして、水平ベース軸３０を適度な角度まで回動させて水平ベース軸固定ボルト３２ｂをねじ込めば、その適度な角度で水平ベース軸３０が固定されるようになっている。もちろん、水平ベース軸固定ボルト３２ｂを取り外し、その以外の蝶番部材等を取り外せば、垂直ベース軸２０から水平ベース軸３０を取り外すことが可能となる。
【００１６】
また、水平ベース軸の下面には、手巻きウインチ３３が取り付けられ、ワイヤー３３ａが巻き付けられており、手巻きウインチ３３を操作してワイヤー３３ａを巻き取り又は巻き戻しすることにより、後述する垂直ロッド４１が昇降可能になっている。３３ｂは手巻きウインチ３３を操作するハンドルである。
【００１７】
前記点検手段４０は、その枠組みは前記の垂直ロッド４１と水平ロッド４５により構成され、いずれも軽量化を図るために樹脂製のものを採用している。
【００１８】
垂直ロッド４１は、図５（モニター５０及び載置台２１は図示を省略）に示すように、軸継手４２により着脱可能に連結されている。すなわち、軸継手４２は、垂直ロッド４１が貫通する垂直軸４２ａと水平ベース軸３０が嵌め込み可能な水平結合穴を有する水平軸４２ｂとからなるＴ字型の形態をなす樹脂製のもので、水平ベース軸３０の一端が前記水平結合穴に嵌め込まれてボルト４２ｃにより軸継手４２に着脱可能に連結されている。垂直軸４２ａにはボルト４２ｄが螺合されており、ボルト４２ｄをねじ込むことにより垂直貫通穴に貫通されている垂直ロッド４１を固定でき、緩めれば垂直ロッド４１は垂直軸４２ａに対してスライド可能となる。また、垂直ロッド４１は、それ自体で伸縮可能に構成されている。すなわち、振り出し竿式の径の異なる２本のロッドからなり、大径の方のロッド（図において上方のロッド）に小径の方のロッド（図において下方のロッド）をしまい込むことができるにようにスライド可能に構成され、大径の方のロッドの下端に小径の方のロッドのスライドを停止させる固定具４２ｅが取り付けられていて、ボルト４２ｆをねじ込めばスライドが停止し、ボルト４２ｆを緩めればスライド可能になっている。また、垂直ロッド４１の上端には垂直ロッド回転操作ハンドル４２ｇが取り付けられており、垂直ロッド４１をその長手方向を軸として回転できるように構成されている。この回転により、後述する水平ロッド４５の方向を変化させることができる。また、この垂直ロッド回転操作ハンドル４２ｇは、軸継手４２から垂直ロッド４２が抜け出て落下してしまうことを防止するストッパの役割を兼用する。なお、垂直ロッド回転操作ハンドル４２ｇを操作することができない場合には、端部に垂直ロッド４１又は垂直ロッド回転操作ハンドル４２ｇを把持する部材が取り付けられた適宜の棒材を使用してもよい。そして、垂直ロッド４１に取り付けられている軸継手４２の垂直軸４２ａの下部には、回転する円盤状のクリール４２ｈが取り付けられており、前述のワイヤー３３ａが掛けられており、ワイヤー３３ａの方向が水平方向から垂直方向に変化して手巻きウインチ３３の回転に合わせてスムーズにワイヤー３３ａの巻き取り及び巻き戻しができるようになっている。
【００１９】
そして、垂直ロッド４１の下端にはロッド継手４３がボルト等により着脱可能に取り付けられている（固定されていてもよい）。このロッド継手４３は垂直ロッド４１が嵌め込み可能な垂直穴を有する垂直軸４３ａと水平ロッド４５が貫通する貫通穴を有する水平軸４３ｂとからなるＴ字型の形態をなす樹脂製のものである。そして、垂直軸４３ａにおいて、前記のクリール４２ｈからワイヤー３３ａが垂下する位置にワイヤー留め具４３ｃが設けられており、このワイヤー留め具４３ｃにワイヤー３３ａの端部を固定することにより、手巻きウインチ３３の回転に合わせて垂直ロッド４１を昇降させることができる。
【００２０】
ロッド継手４３の水平軸４３ｂの貫通穴には、図６に示すように、水平ロッド４５が貫通され、水平軸４３ｂに設けたボルト４３ｄをねじ込むことにより、水平軸４３ｂに対して水平ロッド４５が固定され、ボルト４３ｄを緩めると長さ方向を軸として回転可能となると共に長さ方向にスライド可能となり、水平軸４３ｂから水平ロッド４５を引き抜くことが可能となる。この水平ロッド４５は、それ自体で伸縮可能に構成されている。すなわち、振り出し竿式の径の異なる２本のロッドからなり、大径の方のロッド（図において左側のロッド）に小径の方のロッド（図において右側のロッド）をしまい込むことができるにようにスライド可能に構成され、大径の方のロッドに対して適宜の位置で小径の方のロッドを回転させれば、その位置で小径の方のロッドのスライドが停止し、逆に回転させればスライドが可能になっている。そして、水平ロッド４５の先端部（図において右側）には、撮影機４６が着脱自在に取り付けられており、図示を省略するが、当該撮影機４６は、前述したように、前記垂直ベース軸２０に取り付けられた載置台２１に載置されているモニター５０とケーブル接続されており、撮影機４６により撮影された撮影画像がモニター５０に映し出されるようになっている。もちろん、映し出された撮影画像はモニター５０を備えるコンピュータに記録保存できるようになっている。また、水平ロッド４５の後端部（図において左側）には、水平ロッド４５に取り付けた撮影機４６の荷重及び水平ロッド４５を伸長したことによる荷重との釣り合いがとれるように、水平ロッド用バランスウエイト４７がボルト４７ａにより着脱自在に取り付けられている。
【００２１】
図７は組立後の橋梁点検装置Ａの完成図（モニター５０及び載置台２１は図示を省略）である。このように組み立てることにより、撮影機４６を橋梁Ｂの下面側に位置させることができ、かつ、垂直ロッド回転操作ハンドル４２ｇを回転させることによりロッド継手４３を中心にして撮影機４６が円を描くように移動させることができるため、撮影機４６により橋梁Ｂの下面を幅広く映し出すことが可能となり、また、台車１０を橋梁Ｂの長さ方向、すなわち欄干Ｃに沿って移動させることにより、全方位的に橋梁Ｂの下面を映し出すことができるので、橋梁Ｂの下面に配置されている配管等の状況の全てを網羅的に点検することが可能となる。
【００２２】
この橋梁点検装置Ａの橋梁Ｂに対する設置方法についてその概要を説明すると、まず、台車１０に垂直ベース軸２０及び水平ベース軸３０を取り付け、水平ベース軸３０に垂直ロッド４１を取り付ける。その際、垂直ロッド４１は最も短く収縮させておくと共に軸継手４２の下端に固定具４２ｅが位置するように垂直ロッド４１全体を上方に移動させておく。そして、垂直ロッド４１の下端に水平ロッド４５を欄干Ｃと平行になるように取り付け、水平ロッド４５に撮影機４６及び水平ロッド用バランスウエイト４７を取り付ける。このように構成すれば、水平ベース軸３０を上方に回動させて固定し、台車１０を欄干Ｃ側に移動させれば、水平ベース軸３０が垂直ロッド及び水平ロッド４５を取り付けたままで、すなわち点検手段全体４０が欄干Ｃを乗り越えることが可能となり、かつ、前述のように点検手段全体４０が軽量であるため、乗り越え作業がさらに容易になる。そして、水平ベース軸３０を水平位置に戻して固定し、垂直ロッド４１を伸長すると共に下降させ、垂直ロッド４１を回転させれば、図１に示すように、水平ロッド４５の先端に取り付けた撮影機４６が橋梁Ｂの下面に位置させることが可能となる。
【００２３】
なお、本実施例において使用される各種のボルト類は、ボルト頭部に把持部、例えば周縁に凹凸を形成した握り部を備えたものやコックを備えたものが使用され、全て特別な工具を必要とせずにねじ込んだり緩めたりできるようにしており、それによって橋梁点検装置全体が容易に組立及び分解ができるようになっている。
【００２４】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００２５】
Ａ………橋梁点検装置
Ｂ………橋梁
Ｃ………欄干
１０……台車
１１……ベース部
１１ａ…円形凹溝
１１ｂ…ボルト穴
１１ｃ…垂直ベース軸固定ボルト
１２……ボルト
１３……台車用バランスウエイト
２０……垂直ベース軸
２１……載置台
３０……水平ベース軸
３１……水平ベース軸用バランスウエイト
３２……ガイド板
３２ａ…ガイド穴
３２ｂ…水平ベース軸固定ボルト
３３……手巻きウインチ
３３ａ…ワイヤー
３３ｂ…ハンドル
４０……点検手段
４１……垂直ロッド
４２……軸継手
４２ａ…垂直軸
４２ｂ…水平軸
４２ｃ…ボルト
４２ｄ…ボルト
４２ｅ…固定具
４２ｆ…ボルト
４２ｇ…垂直ロッド回転操作ハンドル
４２ｈ…クリール
４３……ロッド継手
４３ａ…垂直軸
４３ｂ…水平軸
４３ｃ…ワイヤー留め具
４３ｄ…ボルト
４５……水平ロッド
４６……撮影機
４７……水平ロッド用バランスウエイト
４７ａ…ボルト
５０……モニター
【図１】
2015221996.tif 000003
【図２】
2015221996.tif 000004
【図３】
2015221996.tif 000005
【図４】
2015221996.tif 000006
【図５】
2015221996.tif 000007
【図６】
2015221996.tif 000008
【図７】
2015221996.tif 000009